(57)【特許請求の範囲】
【請求項１】
情報処理装置であって、
受付ステップと、生成ステップとを実行するように構成され、
前記受付ステップでは、２次元に配列された複数のアイコンから２以上を順番に選択した入力を受け付け、ここで前記複数のアイコンは、歯又は歯茎を示し、
前記生成ステップでは、前記入力で選択された前記２以上の前記アイコンを前記順番に沿って接続する接続線を生成する、
もの。
【請求項２】
請求項１に記載の情報処理装置において、
前記複数のアイコンは、第１のアイコンと、第２のアイコンとを備え、
前記第１のアイコンは、前記歯の表側を表し、
前記第２のアイコンは、隣接する前記歯の間の前記歯茎を表す、
もの。
【請求項３】
請求項２に記載の情報処理装置において、
前記歯の前記表側は、前記歯の前記表側に装着された第１のブラケットと、前記歯の前記表側に装着されたリンガルボタンとの少なくとも１つを含む、
もの。
【請求項４】
請求項２又は請求項３に記載の情報処理装置において、
前記隣接する前記歯の間の前記歯茎は、前記歯茎の前記表側に埋入されたインプラントと、前記歯の前記表側に装着された第１のブラケットに連結されたワイヤーのループ部分との少なくとも１つを含む、
もの。
【請求項５】
請求項２〜請求項４の何れか１つに記載の情報処理装置において、
前記受付ステップでは、前記第１のアイコンと、前記第２のアイコンから２以上を順番に選択した前記入力を受け付け、
前記生成ステップでは、前記入力で選択された前記２以上の前記アイコンを前記順番に沿って接続する前記接続線を生成する、
もの。
【請求項６】
請求項２〜請求項５の何れか１つに記載の情報処理装置において、
前記複数のアイコンは、第３のアイコンをさらに備え、
前記第３のアイコンは、歯の裏側を表す、
もの。
【請求項７】
請求項６に記載の情報処理装置において、
前記歯の前記裏側は、前記歯の前記裏側に装着された第２のブラケットと、前記歯の前記裏側に装着されたリンガルボタンとの少なくとも１つを含む、
もの。
【請求項８】
請求項６又は請求項７に記載の情報処理装置において、
前記受付ステップでは、前記第１のアイコンと、前記第２のアイコンと、前記第３のアイコンとから２以上を順番に選択した前記入力を受け付け、
前記生成ステップでは、前記入力で選択された２以上の前記アイコンを前記順番に沿って接続する前記接続線を生成する、
もの。
【請求項９】
請求項１〜請求項８の何れか１つに記載の情報処理装置において、
前記接続線は、前記歯又は前記歯茎に装着する歯列矯正器具を示す、
もの。
【請求項１０】
請求項９に記載の情報処理装置において、
前記歯列矯正器具は、前記歯又は前記歯茎に装着する顎間ゴムである、
もの。
【請求項１１】
請求項１〜請求項１０の何れか１つに記載の情報処理装置において、
最初に選択された前記アイコンである始点アイコンが再度選択された前記入力を受け付けた場合、
前記生成ステップでは、前記始点アイコンを始点及び終点とした環状の前記接続線を生成する、
もの。
【請求項１２】
請求項１〜請求項１１の何れか１つに記載の情報処理装置において、
連続して同じ前記アイコンである特定アイコンを選択した前記入力を受け付けた場合、
前記生成ステップでは、前記特定アイコンを終点とした前記接続線を生成する、
もの。
【請求項１３】
プログラムであって、
コンピュータを請求項１〜請求項１２の何れか１つに記載の情報処理装置として機能させる、
もの。
【請求項１４】
情報処理方法であって、
受付ステップと、生成ステップとを備え、
前記受付ステップでは、２次元に配列された複数のアイコンから２以上を順番に選択した入力を受け付け、ここで前記複数のアイコンは、歯又は歯茎を示し、
前記生成ステップでは、前記入力で選択された前記２以上の前記アイコンを前記順番に沿って接続する接続線を生成する、
方法。
【発明の詳細な説明】
【技術分野】
【０００１】
本発明は、情報処理装置、プログラム及び情報処理方法に関する。
【背景技術】
【０００２】
従来から、歯列矯正治療では、歯にブラケットなどの矯正装置を取り付け、これらの矯正装置をワイヤーで連結することにより歯を動かしていく方法が採用されてきた。特許文献１には、ブラケットを用いた歯列矯正支援方法および歯列矯正支援システムが開示されている。
【先行技術文献】
【特許文献】
【０００３】
【特許文献１】特開２０１４−２２８９５７号公報
【発明の概要】
【発明が解決しようとする課題】
【０００４】
ところで、矯正治療期間中、上記の矯正装置に加えて、顎間ゴムやパワーチェーンなどの補助器具を使用することがある。どの歯にどのような補助器具を装着させたのか、といった補助器具の使用情報は、文字情報としてカルテに記録されるのが一般的である。
【０００５】
しかしながら、このような文字情報による記録方法では、補助器具の使用状態を直感的に理解することは難しい。また、複数の補助器具が使用された場合には、カルテの記録も複雑になり、また、実際の補助器具の使用状態を即座に把握することは困難となる。
【０００６】
本発明では上記事情を鑑み、矯正装置の使用状態を直感的に記録し、把握できる技術を提供することとした。
【課題を解決するための手段】
【０００７】
本発明の一態様によれば、情報処理装置が提供される。この情報処理装置は、受付ステップと、生成ステップとを実行するように構成される。受付ステップでは、２次元に配列された複数のアイコンから２以上を順番に選択した入力を受け付ける。複数のアイコンは、歯又は歯茎を示す。生成ステップでは、入力で選択された２以上のアイコンを順番に沿って接続する接続線を生成する。
【０００８】
これにより、矯正装置の使用状態を直感的に記録し、把握できる技術を提供することができる。
【図面の簡単な説明】
【０００９】
【図１】本実施形態に係るシステム１の構成概要を示す図である。
【図２】情報処理装置３のハードウェア構成を示すブロック図である。
【図３】情報処理装置３の機能を示す機能ブロック図である。
【図４】ユーザ端末２によって表示されるＧＵＩの一例を示す図である。
【図５】ユーザ端末２によって表示されるＧＵＩの一例を示す図である。
【図６】直線の接続線５を生成する場合の情報処理の一例を示すアクティビティ図である。
【図７】生成された接続線５の一例を示す図である。
【図８】ジグザグ状又は環状の接続線５を生成する場合の情報処理の一例を示すアクティビティ図である。
【図９】文字情報６の一例を示す図である。
【発明を実施するための形態】
【００１０】
以下、図面を用いて本発明の実施形態について説明する。以下に示す実施形態中で示した各種特徴事項は、互いに組み合わせ可能である。
【００１１】
ところで、本実施形態に登場するソフトウェアを実現するためのプログラムは、コンピュータが読み取り可能な非一時的な記録媒体として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【００１２】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１３】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１４】
１．ハードウェア構成
本節では、本実施形態のハードウェア構成について説明する。図１は、本実施形態に係るシステム１の構成概要を示す図である。
【００１５】
１．１  システム１
システム１は、ユーザ端末２と、情報処理装置３とを備え、これらが電気通信回線を通じて通信可能に構成される。
【００１６】
１．２  ユーザ端末２
ユーザ端末２は、スマートフォン、タブレット端末、コンピュータ、その他電気通信回線を通じて情報処理装置３にアクセス可能なものであれば、その形態は問わない。ユーザ端末２は、表示部と、入力部と、通信部と、記憶部と、制御部とを有し、これらの構成要素がユーザ端末２の内部において通信バスを介して電気的に接続されている。
【００１７】
表示部及び入力部は、例えば、ユーザ端末２の筐体に含まれるものであってもよいし、外付けされるものであってもよい。表示部は、ユーザ（歯科医師、歯科衛生士等）が操作可能なグラフィカルユーザインターフェース（Ｇｒａｐｈｉｃａｌ  Ｕｓｅｒ  Ｉｎｔｅｒｆａｃｅ：ＧＵＩ）の画面を表示する。入力部は、表示部と一体となってタッチパネルとして実施されてもよい。タッチパネルであれば、ユーザは、タップ操作、スワイプ操作等を入力することができる。もちろん、タッチパネルに代えて、スイッチボタン、マウス、ＱＷＥＲＴＹキーボード等を採用してもよい。
【００１８】
通信部、記憶部及び制御部の具体的な説明については、次に説明する情報処理装置３における通信部３１、記憶部３２及び制御部３３の記載を参照されたい。
【００１９】
１．３  情報処理装置３
図２は、情報処理装置３のハードウェア構成を示すブロック図である。情報処理装置３は、通信部３１と、記憶部３２と、制御部３３とを有し、これらの構成要素が情報処理装置３の内部において通信バス３０を介して電気的に接続されている。各構成要素についてさらに説明する。
【００２０】
（通信部３１）
通信部３１は、ＵＳＢ、ＩＥＥＥ１３９４、Ｔｈｕｎｄｅｒｂｏｌｔ、有線ＬＡＮネットワーク通信等といった有線型の通信手段が好ましいものの、無線ＬＡＮネットワーク通信、ＬＴＥ／３Ｇ等のモバイル通信、Ｂｌｕｅｔｏｏｔｈ（登録商標）通信等を必要に応じて含めてもよい。すなわち、これら複数の通信手段の集合として実施することがより好ましい。
【００２１】
（記憶部３２）
記憶部３２は、前述の記載により定義される様々な情報を記憶する。これは、例えば、制御部３３によって実行される情報処理装置３に係る種々のプログラム等を記憶するソリッドステートドライブ（Ｓｏｌｉｄ  Ｓｔａｔｅ  Ｄｒｉｖｅ：ＳＳＤ）等のストレージデバイスとして、あるいは、プログラムの演算に係る一時的に必要な情報（引数、配列等）を記憶するランダムアクセスメモリ（Ｒａｎｄｏｍ  Ａｃｃｅｓｓ  Ｍｅｍｏｒｙ：ＲＡＭ）等のメモリとして実施されうる。また、これらの組合せであってもよい。
【００２２】
（制御部３３）
制御部３３は、情報処理装置３に関連する全体動作の処理・制御を行う。制御部３３は、例えば不図示の中央処理装置（Ｃｅｎｔｒａｌ  Ｐｒｏｃｅｓｓｉｎｇ  Ｕｎｉｔ：ＣＰＵ）である。制御部３３は、記憶部３２に記憶された所定のプログラムを読み出すことによって、情報処理装置３に係る種々の機能を実現する。すなわち、ソフトウェア（記憶部３２に記憶されている）による情報処理がハードウェア（制御部３３）によって具体的に実現されることで、制御部３３に含まれる各機能部（図３参照）として実行されうる。これらについては、次節においてさらに詳述する。なお、制御部３３は単一であることに限定されず、機能ごとに複数の制御部３３を有するように実施してもよい。またそれらの組合せであってもよい。
【００２３】
２．機能構成
本節では、本実施形態の機能構成について説明する。図３は、情報処理装置３の機能を示す機能ブロック図である。前述の通り、ソフトウェア（記憶部３２に記憶されている）による情報処理がハードウェア（制御部３３）によって具体的に実現されることで、制御部３３に含まれる各機能部として実行されうる。
【００２４】
具体的には、情報処理装置３（制御部３３）は、各機能部として、受付部３３１と、生成部３３２と、設定部３３３とを備える。
【００２５】
（受付部３３１）
受付部３３１は、受付ステップを実行する。特に、受付部３３１は、ユーザ端末２の入力部を介して入力された種々の情報を受け付ける。受付部３３１は、２次元に配列された複数のアイコン４から２以上を順番に選択した入力を受け付ける。また、受付部３３１は、アイコン４及び／又は接続線５の表示設定を受け付ける。受付部３３１は、通信部３１又は記憶部３２を介して情報を受け付け、これを作業メモリに読出可能に構成される。本実施形態では、受付部３３１が受け付けた種々の情報は、記憶部３２に記憶されるものとして説明する。
【００２６】
（生成部３３２）
生成部３３２は、生成のステップを実行する。生成部３３２は、受付部３３１が受け付けた情報に基づき、接続線５を生成する。
【００２７】
（設定部３３３）
設定部３３３は、受付部３３１が受け付けた種々の情報に基づき、アイコン４又は接続線５等の表示設定を設定する。例えば、設定部３３３は、複数のアイコン４に番号を振って表示するように設定してもよい。また、設定部３３３は、接続線５の色を表示するように設定してもよい。設定部３３３による各種設定は、設定ファイルとして記憶部３２に記憶される。
【００２８】
３．情報処理の詳細
本節では、アクティビティ図を参照しながら、前述した情報処理装置３の情報処理について説明する。図４及び図５は、ユーザ端末２によって表示されるＧＵＩの一例を示す図である。
【００２９】
まず、直線の接続線５を生成する場合の情報処理を説明する。図６は、直線の接続線５を生成する場合の情報処理の一例を示すアクティビティ図である。ユーザは、ユーザ端末２の入力部を介して、ユーザ端末２の表示部に表示された複数のアイコン４の中から、接続線５で接続したいアイコン４を一つ選択する（Ａ１０１）。なお、このとき選択されたアイコン４が、接続線５の始点となり、以後、ユーザによって最初に選択されたアイコン４を始点アイコン４４という。
【００３０】
図４に示されるように、複数のアイコン４は、複数の第１のアイコン４１と、複数の第２のアイコン４２とを備える。複数のアイコン４は、２次元に配列されたものであり、それぞれ歯又は歯茎を示す。第１のアイコン４１は、歯の表側を表す。歯の表側とは、歯の表側に装着された第１のブラケットと、歯の表側に装着されたリンガルボタンとの少なくとも１つを含むものである。また、第２のアイコン４２は、隣接する歯の間の歯茎を表す。隣接する歯の間の歯茎とは、歯茎の表側に埋入されたインプラントと、歯の表側に装着された第１のブラケットに連結されたワイヤーのループ部分との少なくとも１つを含むものである。すなわち、ユーザは、第１のアイコン４１及び第２のアイコン４２の中から、一つを選択する。アイコン４が選択されると、受付部３３１は、複数のアイコン４からアイコン４を一つ選択した入力を受け付ける。
【００３１】
なお、図５に示されるように、複数のアイコン４は、複数の第３のアイコン４３をさらに備えてもよい。第３のアイコン４３は、歯の裏側を表す。歯の裏側は、歯の裏側に装着された第２のブラケットと、歯の裏側に装着されたリンガルボタンとの少なくとも１つを含むものである。この場合、ユーザは、第１のアイコン４１と、第２のアイコン４２と、第３のアイコン４３との中から、アイコン４を一つ選択する。なお、歯の表側とは、歯の唇側又は頬側であり、歯の裏側とは、歯の舌側である。
【００３２】
次に、ユーザは、始点アイコン４４とは異なるアイコン４を対象として選択する。これにより、受付部３３１は、２次元に配列された複数のアイコン４から２以上を順番に選択した入力を受け付けることとなる。また、ユーザは、再度同じアイコン４を選択する。以後、ここで連続して選択されたアイコン４を、特定アイコン４５といい、この特定アイコン４５が接続線５の終点となる。換言すると、ユーザは、接続線５の終点とする特定アイコン４５を選択する（Ａ１０２）。これによって、受付部３３１は、連続して同じアイコン４である特定アイコン４５を選択した入力を受け付ける。受付部３３１が、連続して同じアイコン４である特定アイコン４５を選択した入力を受け付けた場合、生成部３３２は、特定アイコン４５を終点とした接続線５を生成する（Ａ１０３）。接続線５は、歯又は歯茎に装着する歯列矯正器具を示す。特に、歯列矯正器具は、歯又は歯茎に装着する顎間ゴムである。
【００３３】
まとめると、生成部３３２は、ユーザによる入力部を介した入力で選択された２以上のアイコン４を順番に沿って接続する接続線５を生成する。具体的には、複数のアイコン４が、第１のアイコン４１と、第２のアイコン４２とを備える場合、受付部３３１は、第１のアイコン４１と、第２のアイコン４２から２以上を順番に選択した入力を受け付け、生成部３３２は、かかる入力で選択された２以上のアイコン４を順番に沿って接続する接続線５を生成する。複数のアイコン４が、第３のアイコン４３をさらに備える場合、受付部３３１は、第１のアイコン４１と、第２のアイコン４２と、第３のアイコン４３とから２以上を順番に選択した入力を受け付ける。生成部３３２は、かかる入力で選択された２以上のアイコン４を順番に沿って接続する接続線５を生成する。
【００３４】
なお、接続線５の始点となる始点アイコン４４及び接続線５の終点となる特定アイコン４５は、同種類のアイコン４でもよいし、異なる種類のアイコン４でもよい。例えば、始点アイコン４４及び特定アイコン４５がともに第１のアイコン４１となってもよいし、特定アイコン４５が第２のアイコン４２で、特定アイコン４５が第３のアイコン４３となってもよい。
【００３５】
図７は、生成された接続線５の一例を示す図である。図７に示される接続線５１は、直線の接続線５の一例である。ユーザが始点アイコン４４ａ（第１のアイコン４１）を選択し、その後特定アイコン４５ａを選択すると、受付部３３１がこれらアイコン４を順番に選択した入力を受け付ける。すると、生成部３３２によって始点アイコン４４ａ及び特定アイコン４５ａをつなぐ接続線５１が生成される。なお、始点アイコン４４ａが１回選択された後、２回連続して特定アイコン４５ａが選択（ダブルクリック、ダブルタップ等）されることに留意されたい。このように、最後に選択されたアイコン４を再選択するだけで接続線５が生成されることで、接続線５でつなぐアイコン４を確定させる際、別途他のアイコンを選択するなどの特別な操作が伴うことなく、より直感的に接続線５の生成が可能となる。
【００３６】
続いて、ジグザグ状又は環状の接続線５を生成する場合の情報処理を説明する。図８は、ジグザグ状又は環状の接続線５を生成する場合の情報処理の一例を示すアクティビティ図である。
【００３７】
ユーザは、図６の場合と同様、複数のアイコン４の中から始点アイコン４４となるアイコン４を一つ選択する（Ａ２０１）。次に、ユーザは、始点アイコン４４とは異なるアイコン４を選択する（Ａ２０２）。以下、このときに選択されたアイコン４を中間アイコン４６という。ユーザは、さらに別のアイコン４を中間アイコン４６として選択してもよい。最後に選択したアイコン４が、始点アイコン４４と異なるアイコン４である場合、連続して最後に選択したアイコン４を特定アイコン４５として再度選択すると、受付部３３１は、これらの入力を受け付ける。すると、生成部３３２は、ユーザによって選択された３以上のアイコン４（始点アイコン４４、中間アイコン４６及び特定アイコン４５）を順番に沿って接続するジグザグ状の接続線５を生成する（Ａ２０３）。
【００３８】
図７に示される接続線５２は、折れ曲がりを含む接続線５の一例である。ユーザが始点アイコン４４ｂ（第２のアイコン４２）を選択し、その後、中間アイコン４６ａ（第１のアイコン４１）を選択する。さらに、特定アイコン４５ｂ（第２のアイコン４２）を選択すると、受付部３３１がこれらの入力を受け付け、生成部３３２によって始点アイコン４４ｂと、中間アイコン４６ｂと、特定アイコン４５ｂとをつなぐジグザグ状の接続線５１が生成される。
【００３９】
一方、中間アイコン４６が選択された後、再度始点アイコン４４が選択された場合、受付部３３１は、始点アイコン４４が再度選択された入力を受け付け、生成部３３２は、始点アイコン４４を始点及び終点とした環状の接続線５を生成する（Ａ２０４）。
【００４０】
図７に示される接続線５３は、環状の接続線５の一例である。ユーザが始点アイコン４４ｃ（第３のアイコン４３）を選択し、その後中間アイコン４６ｃ（第１のアイコン４１）及び中間アイコン４６ｃ（第１のアイコン４１）を連続して選択する。最後に始点アイコン４４ｃが選択されると、受付部３３１がこれらアイコン４を順番に選択した入力を受け付け、生成部３３２は、始点アイコン４４ｃを始点及び終点とした環状の接続線５を生成する。このように、接続線５の始点と終点が同じアイコン４である場合、最初に選択したアイコン４を再度選択するだけで、余分なアイコン４を選択することなく、より直感的、かつ簡単に接続線５を生成することができる。
【００４１】
このように、ユーザが接続線５で接続したい２以上のアイコン４を選択することで、選択されたアイコン４を接続する接続線５が生成される。また、これにより、２次元に配列された歯列弓の各部位を示すアイコン４を選択し、顎間ゴムなどの補助装置を示す接続線５が生成されることで、口腔内のどの位置に、顎間ゴムが装着されるのか、といった歯列矯正治療における補助器具の使用状態が直感的に把握可能な電子カルテを作成することが可能となる。また、図７に示されるように、複数の顎間ゴムを同時に使用するような複雑な措置を行う場合においても、複数のアイコン４を接続線５で結ぶ、という簡単な操作を行うだけで、実際の補助器具の使用状態を即座に把握可能な電子カルテを作成することが可能となる。
【００４２】
５．その他
本実施形態に係るシステム１に関して、以下のような態様を採用してもよい。
【００４３】
（１）図９に示されるように、生成部３３２は、接続線５が生成されると、装着情報７を生成してもよい。図９は、文字情報６の一例を示す図である。装着情報７とは、歯又は歯茎に装着された補助器具の使用状態を示す文字情報６である。これにより、補助器具の使用状態が、文字情報６としても電子カルテに記録されることとなる。装着情報７１は、歯又は歯茎に装着された直線の接続線５の接続状態を、文字及び記号で示したものである。装着情報７２は、歯又は歯茎に装着されたジグザグ状の接続線５の接続状態を、文字及び記号で示したものである。
（２）前述の実施形態では、複数のアイコン４は、第１のアイコン４１と、第２のアイコン４２と、第３のアイコン４３とを備える例を示したが、これに加え、複数のアイコン４は、第４のアイコンを備えるように実施されてもよい。第４のアイコンは、例えば、隣接する歯の間の裏側の歯茎である。
（３）本実施形態の態様は、プログラムであってもよい。プログラムは、コンピュータを情報処理装置３として機能させる。
（４）本実施形態の態様は、情報処理方法であってもよい。情報処理方法は、受付ステップと、生成ステップとを実行するように構成される。受付ステップでは、２次元に配列された複数のアイコン４から２以上を順番に選択した入力を受け付ける。複数のアイコン４は、歯又は歯茎を示す。生成ステップでは、入力で選択された２以上のアイコン４を順番に沿って接続する接続線５を生成する。
【００４４】
さらに、次に記載の各態様で提供されてもよい。
前記情報処理装置において、前記複数のアイコンは、第１のアイコンと、第２のアイコンとを備え、前記第１のアイコンは、前記歯の表側を表し、前記第２のアイコンは、隣接する前記歯の間の前記歯茎を表す、もの。
前記情報処理装置において、前記歯の前記表側は、前記歯の前記表側に装着された第１のブラケットと、前記歯の前記表側に装着されたリンガルボタンとの少なくとも１つを含む、もの。
前記情報処理装置において、前記隣接する前記歯の間の前記歯茎は、前記歯茎の前記表側に埋入されたインプラントと、前記歯の前記表側に装着された第１のブラケットに連結されたワイヤーのループ部分との少なくとも１つを含む、もの。
前記情報処理装置において、前記受付ステップでは、前記第１のアイコンと、前記第２のアイコンから２以上を順番に選択した前記入力を受け付け、前記生成ステップでは、前記入力で選択された前記２以上の前記アイコンを前記順番に沿って接続する前記接続線を生成する、もの。
前記情報処理装置において、前記複数のアイコンは、第３のアイコンをさらに備え、前記第３のアイコンは、歯の裏側を表す、もの。
前記情報処理装置において、前記歯の前記裏側は、前記歯の前記裏側に装着された第２のブラケットと、前記歯の前記裏側に装着されたリンガルボタンとの少なくとも１つを含む、もの。
前記情報処理装置において、前記受付ステップでは、前記第１のアイコンと、前記第２のアイコンと、前記第３のアイコンとから２以上を順番に選択した前記入力を受け付け、前記生成ステップでは、前記入力で選択された２以上の前記アイコンを前記順番に沿って接続する前記接続線を生成する、もの。
前記情報処理装置において、前記接続線は、前記歯又は前記歯茎に装着する歯列矯正器具を示す、もの。
前記情報処理装置において、前記歯列矯正器具は、前記歯又は前記歯茎に装着する顎間ゴムである、もの。
前記情報処理装置において、最初に選択された前記アイコンである始点アイコンが再度選択された前記入力を受け付けた場合、前記生成ステップでは、前記始点アイコンを始点及び終点とした環状の前記接続線を生成する、もの。
前記情報処理装置において、連続して同じ前記アイコンである特定アイコンを選択した前記入力を受け付けた場合、前記生成ステップでは、前記特定アイコンを終点とした前記接続線を生成する、もの。
プログラムであって、コンピュータを前記情報処理装置として機能させる、もの。
情報処理方法であって、受付ステップと、生成ステップとを備え、前記受付ステップでは、２次元に配列された複数のアイコンから２以上を順番に選択した入力を受け付け、ここで前記複数のアイコンは、歯又は歯茎を示し、前記生成ステップでは、前記入力で選択された前記２以上の前記アイコンを前記順番に沿って接続する接続線を生成する、方法。
もちろん、この限りではない。
【００４５】
最後に、本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００４６】
１      ：システム
２      ：ユーザ端末
３      ：情報処理装置
３０    ：通信バス
３１    ：通信部
３２    ：記憶部
３３    ：制御部
５３    ：接続線
３３１  ：受付部
３３２  ：生成部
３３３  ：設定部
４      ：アイコン
４１    ：第１のアイコン
４２    ：第２のアイコン
４３    ：第３のアイコン
４４    ：始点アイコン
４４ａ  ：始点アイコン
４４ｂ  ：始点アイコン
４４ｃ  ：始点アイコン
４５    ：特定アイコン
４５ａ  ：特定アイコン
４５ｂ  ：特定アイコン
４６    ：中間アイコン
４６ａ  ：後中間アイコン
４６ｂ  ：中間アイコン
４６ｃ  ：中間アイコン
５      ：接続線
５１    ：接続線
５２    ：接続線
６      ：文字情報
【要約】
【課題】矯正装置の使用状態を直感的に記録し、把握できる技術を提供すること。
【解決手段】本発明の一態様によれば、情報処理装置が提供される。この情報処理装置は、受付ステップと、生成ステップとを実行するように構成される。受付ステップでは、２次元に配列された複数のアイコンから２以上を順番に選択した入力を受け付ける。複数のアイコンは、歯又は歯茎を示す。生成ステップでは、入力で選択された２以上のアイコンを順番に沿って接続する接続線を生成する。
【選択図】図１【図１】
0006873449.tif 000002
【図２】
0006873449.tif 000003
【図３】
0006873449.tif 000004
【図４】
0006873449.tif 000005
【図５】
0006873449.tif 000006
【図６】
0006873449.tif 000007
【図７】
0006873449.tif 000008
【図８】
0006873449.tif 000009
【図９】
0006873449.tif 000010